(57)【要約】【課題】本発明の目的は、従来のノズルチップの詰りによる親検体の取り残しの影響を受けることなく、分注残量を低減することのできる分注装置を提供することにある。【解決手段】上記課題を解決する本発明の構成は以下のとおりである。親検体容器と子検体容器を接続するキャップであって、当該キャップは、検体の通過する筒を備えたキャップ上部と、当該キャップ上部の溝に嵌合し、検体の通過するパイプを備えたキャップ下部と、キャップ上部とキャップ下部を仕切る栓を備えることを特徴とするキャップ。【選択図】  図１
2012154756.tif 000002
【特許請求の範囲】
【請求項１】
親検体容器と子検体容器を接続するキャップであって、
当該キャップは、検体の通過する筒を備えたキャップ上部と、当該キャップ上部の溝に嵌合し、検体の通過するパイプを備えたキャップ下部と、キャップ上部とキャップ下部を仕切る栓を備えることを特徴とするキャップ。
【請求項２】
請求項１のキャップにおいて、
検体分注時に前記筒が前記栓を貫通して前記パイプに入り込む構造であることを特徴とするキャップ。
【請求項３】
請求項１のキャップにおいて、
前記キャップ上部が親検体容器に接続され、前記キャップ下部が子検体容器に接続され、前記キャップ上部及び前記キャップ下部は分離可能であることを特徴とするキャップ。
【請求項４】
請求項１のキャップにおいて、
前記キャップ上部及びキャップ下部がそれぞれ栓を備えることを特徴とするキャップ。
【請求項５】
請求項１のキャップにおいて、
前記栓はシャッターであり、検体分注終了後に閉じることを特徴とするキャップ。
【発明の詳細な説明】
【技術分野】
【０００１】
本発明は、検体分注装置に関し、特に、フィブリン等の不純物を除去し、また、分注残量を低減して安全に分注を行う分注装置に関する。
【背景技術】
【０００２】
血液や尿などの検体を分析・検査する際に、必要な量だけ自動的に取り分けるため、一方の容器（親検体容器）から他方の容器（子検体容器）に分注することが行われる。分注では、一般的に、ノズルチップを用いて検体を一旦ノズルチップ内に吸い込んだ後、子検体容器に吐出することを検体ごとに行う分注処理装置が用いられる（特許文献１参照）。
【０００３】
分析・検査する検体が血清の場合、検体に対して遠心分離を行い、図５に示すように、血清２１２と血餅２１４に分離し、血清のみを分析に使用するために分注する。親検体容器には血清２１２と血餅２１４の間に分離剤２１３を用いて再混合しないようにしてある。
【０００４】
検体を必要な量だけノズルチップ内に吸い込む時、検体量が十分でない場合にノズルチップの先端が分離剤に接触し、ノズルチップが詰り状態になる。また、親検体容器で発生したフィブリンも詰り状態の原因になる。その場合、詰りが検出されるまでに吸い込んだ検体を子検体容器に取り分けるが、親検体の取り残し量を減少させることが必要である。
【先行技術文献】
【特許文献】
【０００５】
【特許文献１】特許３４１００１８号公報
【発明の概要】
【発明が解決しようとする課題】
【０００６】
特許文献１記載の技術では、ノズルチップを用いて吸引を行う際、検体量が少ないと吸引指定量を吸い切る前にノズルチップが分離剤に接触し、詰り状態となる。詰りが検出された時点で吸引を止め、詰りが検出されるまでに吸引した量の検体を子検体容器へ吐出する動作を行うが、そのときの親検体の取り残しが発生し問題である。
【０００７】
本発明の目的は、従来のノズルチップのつまりによる親検体の取り残しの影響を受けることなく、分注残量を低減することのできる分注装置を提供することにある。
【課題を解決するための手段】
【０００８】
上記課題を解決する本発明の構成は以下のとおりである。
【０００９】
親検体容器と子検体容器を接続するキャップであって、当該キャップは、検体の通過する筒を備えたキャップ上部と、当該キャップ上部の溝に嵌合し、検体の通過するパイプを備えたキャップ下部と、キャップ上部とキャップ下部を仕切る栓を備えることを特徴とするキャップ。
【発明の効果】
【００１０】
上記構成によれば、ノズルチップを用いずに分注を行うことができ、ノズルチップの詰りの影響なく検体を分注することができる。また、分注する際に、不純物を除去して検体を分注することが可能となる。
【図面の簡単な説明】
【００１１】
【図１】従来の検体分注装置および本発明の検体分注装置を示す図である。
【図２】キャップの構成を示す図である。
【図３】キャップを上下分離した内容を示す図である。
【図４】キャップ内部に有する栓を示す図である。
【図５】検体に対して遠心分離を行った後の血清，血餅，分離剤の様子を示す図。
【図６】キャップに親検体容器および子検体容器を接続した内容を示す図である。
【図７】分注処理を示す図である。
【図８】分注動作後、親検体容器と子検体容器を分離した図である。
【図９】キャップ上部とキャップ下部の栓に弁を用いた一例である。
【発明を実施するための形態】
【００１２】
本発明の実施例を図１〜図７により説明する。
【００１３】
図１は従来の検体分注装置および本発明の検体分注装置を対比して示す。従来の検体分注装置１０１では、ノズルチップ１０２を用いて検体の分注を行う。一方、本発明の検体分注装置１０３は、本発明の分注キャップ１０４を用いて検体分注動作を行う。
【００１４】
図２に、分注キャップ１０４の一実施例を示す。キャップ上部には不純物を取り除くフィルター２０１を備え、フィルターを有する箇所から栓２０５まではパイプ２０２となっている。また、フィルター上部の側面には下部と接続するために切り込み２０３を有しており、パイプとなっている箇所はテーパー状の筒２０４となっている。キャップ下部は上部に栓２０６を有し、中央にテーパー状のパイプ２０７がある。
【００１５】
図３は図２の分注キャップをキャップ上部とキャップ下部を分離した状態を示す。図３に示すとおり、キャップは上下分離可能であり、キャップ上部２０８とキャップ下部２０９に分離可能である。
【００１６】
図４に示すようにキャップ内部に有する栓２０５及び２０６は、シャッター状の栓２１０のような形状を用いて上部から下部に検体を分注可能な機能を有する。分注する際に、栓２１０は、栓２１１のように開放されて、筒２０４が穴に入り込んでパイプ２０７と接続し、検体が分注される。
【００１７】
図６に分注キャップ１０４を用いた検体分注の方法を示す。親検体容器２１６に反転した分注キャップ１０４のキャップ上部２０８を接続し、子検体容器２１７をキャップ下部２０９に接続する。親検体容器に格納されている検体を子検体容器に分注するため、接続した親検体容器と子検体容器を図７のように上下逆転させ、親検体容器２１６と子検体容器２１７を逆回転させる。そして、キャップ内部に有された切り込みを利用し、キャップ下部がキャップ上部に入り込むことによって、キャップ上部のテーパー状のパイプがキャップ上部の栓とキャップ下部の栓を貫通することによって、親検体容器に格納されている検体が、子検体容器２１７に分注される。
【００１８】
また、キャップ上部に有するフィルター２０１によってフィブリン等の不純物の排除が可能となる。親検体容器と子検体容器を分離すると、キャップ上部２０８のテーパー状のパイプがキャップ下部と分離され、キャップ上部の栓２０５およびキャップ下部２０９の栓２０６となる。キャップを分離した際に栓が閉まることによって、検体の酸化や気化を防ぐことが可能となり、また、誤って容器を横転した場合にも検体の流出を防ぐことが可能となる。
【００１９】
図９は、キャップ上部２０８とキャップ下部２０９に有する栓を弁２２４にして利用した例である。
【００２０】
以上説明したように、キャップを用いて親検体容器と子検体容器を接続することにより、検体の分注処理および不純物の排除が可能となる。また、分注後は親検体容器および子検体容器に栓をすることで、検体の流出を防ぐことができる。
【符号の説明】
【００２１】
１０１，１０３  検体分注装置
１０２  ノズルチップ
１０４  分注キャップ
２０１  フィルター
２０２  パイプ
２０３  切り込み
２０４  筒
２０５，２０６，２１０  栓
２０７  パイプ
２０８  キャップ上部
２０９  キャップ下部
２１１  栓（開放時）
２１２  血清
２１３  分離剤
２１４  血餅
２１６  親検体容器
２１７  子検体容器
２２４  弁
【図１】
2012154756.tif 000003
【図２】
2012154756.tif 000004
【図３】
2012154756.tif 000005
【図４】
2012154756.tif 000006
【図５】
2012154756.tif 000007
【図６】
2012154756.tif 000008
【図７】
2012154756.tif 000009
【図８】
2012154756.tif 000010
【図９】
2012154756.tif 000011